(57)【特許請求の範囲】
【請求項１】
静的には高い粘度を有し、筆記時のボールの回転により粘度が低下するゲルインキがインキ収容管内に充填され、該インキの尾端側にグリース状の逆流防止剤が配置されたレフィールが軸筒内に搭載され、該軸筒の尾端開口に尾栓が嵌着され、もしくは該軸筒の尾端開口にレフィール先端のペン体部を軸筒の先端開口から出没させるためのノック部材が配置されたボールペンにおいて、
前記尾栓もしくはノック部材に円柱状の漏洩防止部材が固定され、該漏洩防止部材の先端部が該インキ収容管の尾端部に挿入され、該インキ収容管の内周面と該漏洩防止部材の外周面との間に小さな隙間が形成されたことを特徴とするボールペン。
【請求項２】
前記インキ収容管の内周面と該漏洩防止部材の外周面との隙間の間隔が０．０５〜０．５ｍｍであることを特徴とする請求項１記載のボールペン。
【発明の詳細な説明】
【０００１】
【発明の属する技術分野】
本発明は、静的には高い粘度を有し、筆記時のボールの回転により粘度が低下する所謂剪断減粘性を有するゲルインキがインキ収容管に充填されたレフィールが軸筒内に搭載されたボールペンに関する。
【０００２】
【従来の技術】
粘度の低い水性インキを使用するボールペンおよび粘度の高い油性インキを使用するボールペンは、それぞれ優れた特性を有するものの、そのインキの特性故の不具合があるので、最近では、静的には高い粘度を有し、筆記時のボールの回転により粘度が低下する所謂剪断減粘性を有するゲルインキを使用するボールペンが実用化されている。かかるボールペンは、軸筒内に搭載されるレフィールのインキ収容管にゲルインキが直接充填されており、インキがインキ収容管の尾端開口から漏れ出さないように、インキの尾端側にグリース状の逆流防止剤が配置されている。そして、筆記によるインキの減少に伴って逆流防止剤がインキ収容管の内壁に沿って前進する。しかし、逆流防止剤はグリース状であるので、筆記具に強い衝撃などが加わると、逆流防止剤が破壊し、インキが漏れ出す危険性がある。
【０００３】
この逆流防止剤の破壊によるインキの漏洩対策として、通気性は有するがインキが通過しにくい詰栓をインキ収容管の尾端開口部に詰め、万一逆流防止剤が破壊してもインキが漏れ出さないようにすることがある。
【０００４】
【発明が解決しようとする課題】
ところで、レフィールを軸筒内に搭載するボールペンにおいては、インキを使い切ると新しいレフィールと交換するが、詰栓をインキ収容管の尾端開口部に詰める方法では、全てのレフィールに予め詰栓をインキ収容管の尾端開口部に詰めておく必要がある。従って、多くの詰栓が必要になるとともに、レフィールの組立てに手間を要する不具合がある。
【０００５】
そこで本発明は、全てのレフィールに予め詰栓をインキ収容管の尾端開口部に詰めておく必要がなく、簡単な構造でインキの漏洩を防止することができるボールペンを提供することを目的とする。
【０００６】
【課題を解決するための手段】
かかる目的を達成するために、請求項１の発明は、静的には高い粘度を有し、筆記時のボールの回転により粘度が低下するゲルインキがインキ収容管内に充填され、インキの尾端側にグリース状の逆流防止剤が配置されたレフィールが軸筒内に搭載され、軸筒の尾端開口に尾栓が嵌着され、もしくは該軸筒の尾端開口にレフィール先端のペン体部を軸筒の先端開口から出没させるためのノック部材が配置されたボールペンにおいて、尾栓もしくはノック部材に円柱状の漏洩防止部材を固定し、漏洩防止部材の先端部をインキ収容管の尾端部に挿入し、インキ収容管の内周面と漏洩防止部材の外周面との間に小さな隙間を形成する。
また、請求項２の発明のように、インキ収容管の内周面と漏洩防止部材の外周面との隙間を０．０５〜０．５ｍｍにするのが好ましい。
【０００７】
【発明の実施の形態】
以下に、図面に基づいて本発明の実施の形態を具体的に説明する。図１はノック式ボールペンにおける実施例を示す。図１において、軸筒１０は、合成樹脂で成形された後軸１１および前軸１２からなり、前軸１２の先端には、先端開口１５が形成されている。また、前軸１２の外周には軟質の合成樹脂からなるグリップ１４が配置されている。後軸１１の尾端部には、クリップ４０の円筒固定部４１が固定されている。
【０００８】
かかる軸筒１０内に、レフィール２０がコイルスプリング２６で尾端側に弾発された状態で前後動可能に搭載されている。レフィール２０のインキ収容管２１の先端開口に継手２２が嵌着され、継手２２の中心孔にボールペンチップであるペン体部２３が嵌着されている。インキ収容管２１内にはインキＩが充填され、インキＩの後端にはグリース状の逆流防止剤２５が配置されている。
【０００９】
インキＩは、着色剤である顔料または染料、樹脂、増粘剤、水溶性溶剤を含み、必要に応じて分散剤、防腐剤などを含有し、静的には高い粘性を有し、筆記時のボールの回転により粘性が低下するゲルインキである。このインキＩの粘度は２０ｍＰａ・ｓ以上である。また、逆流防止剤２５は、ポリブデン、シリコーンオイル、鉱物油などを主成分とし、シリカゲル、金属石鹸などで適度に増粘させたものである。
【００１０】
ペン体部２３はステンレスにて砲弾型に成形されたものであり、ペン体部２３先端のボールハウス内に、例えば外径が０．５ｍｍであり、超硬合金からなるボール２４が回転自由に抱持されている。ペン体部２３内には小さなスプリング（図示せず）が配置されており、ボール２４はこのスプリングで弾発され、非筆記時においてペン体部２３先端の内向き突起に圧接している。つまり、ボール２４とペン体部２３先端の内向き突起により弁機構を構成しており、非筆記時は弁が閉じてインキがペン体部２３先端から流出せず、また、上向きにしたときも弁が閉じているのでペン体部２３先端から空気が内部に侵入しないようになっている。そして、筆記時においては、筆圧によりボール２４が後退して弁が開き、インキが流出するようになっている。
【００１１】
軸筒１０内に搭載されたレフィール２０は、回転子３０を使用する周知のダブルノック方式の出没機構により前後動し、ペン体部２３が先端開口１５から出没する。つまり、詳細な説明は省略するが、筆記に際して、ペン体部２３が軸筒１０内に没入した図１の状態から、軸筒１０の尾端から突出した状態で配置されたノック部材５０を押圧するノック操作を行うと、レフィール２０は前進してペン体部２３が先端開口１５から突出して筆記可能になる。そして、再びノック操作を行うと、レフィール２０は後退してペン体部２３が軸筒１０内に没入して図１の状態に戻る。
【００１２】
ノック部材５０には円柱状の漏洩防止部材６０が固定されており、その先端部６０ａはノック部材５０から前方に突出している。そして、組立時やレフィール交換時に、レフィール２０を軸筒１０内の所定位置に配置すると、漏洩防止部材６０の先端部６０ａがインキ収容管２１の尾端部２１ａに入り込み、図２に示すように、インキ収容管２１の内周面と漏洩防止部材６０の外周面との間に小さな隙間Ｓができる。この隙間Ｓは、十分な通気性は有するが、その毛細管力によりインキが逆流して漏れ出すことを防止するものであり、その間隔は０．０５〜０．５ｍｍの範囲が望ましい。隙間Ｓの間隔が０．０５ｍｍより小さいと通気性が不充分となり、０．５ｍｍより大きいと毛細管力が不充分になって逆流防止効果が小さくる。
【００１３】
図３は非ノック式のボールペンにおける実施例を示す。軸筒１０内には、図１に示したものと同じレフィール２０が搭載され、ペン体部２３は先口１３の先端開口１５から常時突出している。そして、非筆記時には軸筒１０先端にキャップ８０が嵌着される。
【００１４】
軸筒１０の尾端には尾栓７０が嵌着されるが、尾栓７０には円柱状の漏洩防止部材６０が固定されており、その先端部６０ａは尾栓７０から前方に突出している。そして、組立時やレフィール交換時に、レフィール２０を軸筒１０内の所定位置に配置すると、漏洩防止部材６０の先端部６０ａがインキ収容管２１の尾端部２１ａに入り込み、前記の実施例の場合と同様に、インキ収容管２１の内周面と漏洩防止部材６０の外周面との間に小さな隙間Ｓができる。
【００１５】
このように、インキ収容管２１の内周面と漏洩防止部材６０の外周面との間に小さな隙間Ｓが存在するので、衝撃などによって万一逆流防止剤２５が破壊してもインキは毛細管力が働いている隙間Ｓを通過せず、インキの漏洩を防止することができる。また、漏洩防止部材６０が尾栓７０もしくはノック部材５０に固定され、組立時やレフィール交換時において、レフィール２０を軸筒１０内の所定位置に配置すると、漏洩防止部材６０の先端部がインキ収容管２１の尾端側に差し込まれるので、レフィール２０に予め詰栓などを取り付ける必要がなく、部品点数が少なくてレフィール２０の組立作業も簡単になる。
【００１６】
【発明の効果】
以上説明したように、本発明は、静的には高い粘度を有し、筆記時のボールの回転により粘度が低下するゲルインキがインキ収容管内に充填され、インキの尾端側にグリース状の逆流防止剤が配置されたレフィールが軸筒内に搭載され、軸筒の尾端開口に尾栓が嵌着され、もしくは該軸筒の尾端開口にレフィール先端のペン体部を軸筒の先端開口から出没させるためのノック部材が配置されたボールペンにおいて、尾栓もしくはノック部材に円柱状の漏洩防止部材を固定し、漏洩防止部材の先端部をインキ収容管の尾端部に挿入し、インキ収容管の内周面と漏洩防止部材の外周面との間に小さな隙間を形成するので、全てのレフィールに予め詰栓をインキ収容管の尾端開口部に詰めておく必要がなく、簡単な構造でインキの漏洩を防止することができる。
【図面の簡単な説明】
【図１】本発明実施例の断面図である
【図２】インキ収容管尾端部の横断面図である。
【図３】他の実施例の断面図である。
【符号の説明】
【符号の説明】
１０    軸筒
１１    後軸
１２    前軸
１５    先端開口
２０    レフィール
２１    インキ収容管
２２    継手
２３    ペン体部
２４    ボール
２５    逆流防止剤
２６    コイルスプリング
３０    回転子
４０    クリップ
５０    ノック部材
６０    漏洩防止部材
７０    尾栓
８０    キャップ
【図１】
0003730584.tif 000002
【図２】
0003730584.tif 000003
【図３】
0003730584.tif 000004